(57)【要約】【課題】  スルーホールを設けた両面フレキシブル基板を用いた電気泳動方式の表示装置は、ガスや水蒸気がスルーホールから進入し、耐湿信頼性が不十分であるという問題点がある。【解決手段】  透明電極２を備える第１の基板１と、画素電極４と背面電極６を備える第２の基板５と、前記透明電極２と前記画素電極４間に電気泳動により動作する画像表示層３を備え、かつ、画素電極４と背面電極６のうち、どちらか一方の電極は、第２の基板５における開口部１５を埋めるように配置され、フレキシブル基板を第２の基板５として用いていることで、画素電極４および背面電極６がガスや水蒸気のバリア層となり、耐湿信頼性が良好で、かつ、軽く、フレキシブルで、高密度表示の表示装置を得られた。【選択図】        図１
2006113157.tif 000002
【特許請求の範囲】
【請求項１】
透明電極を備える第１の基板と、画素電極を備える第２の基板と、前記透明電極と前記画素電極との間に電気泳動により動作する画像表示層とを備え、前記第２の基板における画素電極を備えた面と反対側の面には、背面電極を配置し、前記画素電極と前記背面電極のうち、どちらか一方の電極は第２の基板に設けられた開口部を埋めるように配置され、前記画素電極と前記背面電極とが電気的に接続されていることを特徴とする表示装置。
【請求項２】
前記背面電極は駆動信号を供給するための駆動回路と前記画素電極とを接続する電極であることを特徴とする請求項１に記載の表示装置。
【請求項３】
前記第２の基板は、樹脂基板であり、前記画素電極と前記背面電極は、銅箔、又は金やニッケルを前記樹脂基板にメッキ処理して形成されていることを特徴とする請求項１に記載の表示装置。
【請求項４】
前記樹脂基板はポリイミド、又は液晶ポリマーのフレキシブル基板であることを特徴とする請求項３に記載の表示装置。
【請求項５】
前記画像表示層として、透明分散媒中に少なくとも２種類の色の異なる帯電粒子を分散させ封入したマイクロカプセルであること特徴とする請求項１に記載の表示装置。
【請求項６】
前記画像表示層として、着色分散媒中に少なくとも１種類の帯電粒子を分散させ封入したマイクロカプセルであること特徴とする請求項１に記載の表示装置。
【請求項７】
前記画像表示層として、第１の基板と第２の基板の間に多数の隔壁を設け、該隔壁内に着色分散媒と、少なくとも１種類の帯電粒子を封入してあること特徴とする請求項１に記載の表示装置。
【請求項８】
前記画像表示層として、第１の基板と第２の基板の間に多数の隔壁を設け、分散媒は用いず、少なくとも２種類の色の異なる帯電粒子を前記隔壁間に封入してあること特徴とする請求項１に記載の表示装置。
【発明の詳細な説明】
【技術分野】
【０００１】
本発明は電気泳動により帯電した微粒子が移動することにより動作する表示装置の構成に関する。
【背景技術】
【０００２】
最近、液晶表示装置に代わる表示装置として、帯電した微粒子を電場によって動作する電気泳動方式を用いた表示装置が開発されている。この表示装置は、少なくとも一方が透明な一対の基板間に、電圧の印加により移動する微粒子を封入している構造を有する。
【０００３】
この電圧により移動する微粒子は、マイクロカプセルに封入されている場合や、マイクロカプセルには封入されていない場合があり、マイクロカプセルに封入されている表示装置は、例えば、特許文献１に記載されている。この表示装置は、メモリー性があり、また、明るい反射表示が得られ注目されている。
【０００４】
特許文献１に開示された従来の表示装置を図面を用いて説明する。図７は、マイクロカプセルを用いた従来の表示装置の断面図である。透明電極２を設けた透明材料からなる第１の基板１と、マイクロカプセルからなる画像表示層３、画素電極４を設けた第２の基板５とから構成されている。そして、画像表示層３が外部環境により汚濁されやすく、微粒子の移動特性が影響を受け、表示特性が劣化しやすいので、酸化珪素や酸化マグネシウム等のバリア層２５を形成し、接着層２６により第１の基板１と第２の基板５を貼り合わせてある。
【０００５】
第１の基板１として、ガス及び水蒸気のバリア性の高い材料を用いることが望ましく、さらに第１の基板の表面及び／又は裏面にもバリア層を形成することが好ましい。
【０００６】
一方、電気泳動方式の表示装置では、第２の基板５として、各画素電極にＴＦＴ等のスイッチング素子を備えたアクティブ駆動用の基板や、単なるストライプ電極を形成したマルチプレックス駆動用の基板、全表示画素に各々接続配線を設けたスタチック駆動用の基板を用いることが可能である。なお、画像表示層３で反射して白表示を行うため、第２の基板５は透明である必要はない。
【０００７】
アクティブ駆動用の第２の基板としては、ガラスを用いることが多く、スタチック駆動用の第２の基板としては、アクリル、ポリエチレンテレフタレート、ポリエステル、ポリイミド等の樹脂フィルムを用いることが多い。電気泳動方式の表示装置は、耐衝撃性に強い特徴があり、第１の基板と第２の基板の両基板に可撓性を有するものを採用し、両基板を湾曲させても表示を行うことができる。よって、第２の基板を樹脂フィルムとすることで、表示装置の応用範囲を広げることが可能である。一方、第２の基板としてガラスを用いる場合には、ガラスが裏面からのガスや水蒸気の進入を防ぎ、画像表示層を保護することが可能であるが、第２の基板として樹脂フィルムを採用する場合には、ガスや水蒸気のバリア性を考慮する必要があり、前述のバリア層を第２の基板５の表面及び／又は裏面に形成することが好ましい。
【０００８】
また、特許文献２には、ガスや水蒸気から画像表示層を保護するために、第１の基板の外側に表面保護層を形成したり、第２の基板の外側にプラスチック等の可塑性を有する基材を積層した表示装置の例が記載されている。
【０００９】
【特許文献１】特開２００３−２７０６７３
【特許文献２】特開２００４−１４４６４０
【発明の開示】
【発明が解決しようとする課題】
【００１０】
上記のような技術を用いたことで、第２の基板としてガラスを用いた電気泳動方式の表示装置の信頼性は改善されたが、第２の基板として樹脂フィルムを用い、特に、スタチック駆動を採用する場合には、駆動回路との接続方法を考慮することが必要である。スタチック駆動を実行する際に、第１の基板の表示領域全面に電極を配置したとすると、第２の基板における画像表示層側には、画素形状の画素電極のみを配置し、画素電極に信号を供給するための配線電極は、第２の基板における画像表示層側には配置することができない。配線電極を画像表示層側に配置すると、その配線電極が配置されたところの画像表示層にも電圧が印加され、配線電極部でも表示が行われてしまうからである。よって、画素電極に信号を供給する配線電極は第２の基板の裏面側に配置することが好ましい。
【００１１】
画素電極と裏面側に設けた配線電極との接続方法としては、第２の基板に開口部を設けてそれぞれを接続するスルーホール接続を採用することができる。スルーホール接続は高密度表示を行う場合には、有効な接続方法である。まず、第２の基板表面に設けた金属薄膜からなる画素電極と、第２の基板裏面に設けた配線電極である背面電極との両方の電極が重なる位置に対応するところの、第２の基板に開口部を形成する。第２の基板の開口部では、画素電極および背面電極の両方にも穴が形成される。そして、この開口部内面に金属メッキ処理を行い、この金属メッキ膜を通して、画素電極と配線電極とを電気的に接続する。しかし、このような第２の基板に開口部を形成し、金属めっき処理で開口部内面に金属膜を備えたスルーホール接続では、第２の基板の画像表示層側と第２の基板の背面電極側が、第２の基板の開口部で開通しているため、第２の基板の裏面側からガスや水蒸気が画像表示層に進入し、高温多湿下に保存する耐湿信頼性試験において、ムラ等の表示不良が発生した。
【００１２】
本発明は、上記課題を解決するためになされたものであって、電気泳動方式の表示装置において、第２の基板として樹脂フィルムを用いても耐湿信頼性が向上し、さらに、スタチック駆動でも高密度の表示が可能である表示装置を提供することを目的とする。
【課題を解決するための手段】
【００１３】
上記課題を解決するために本発明の第１の手段は、透明電極を備える第１の基板と、画素電極を備える第２の基板と、透明電極と画素電極との間に電気泳動により動作する画像表示層とを備え、第２の基板における画素電極を備えた面と反対側の面には、背面電極を配置し、画素電極と背面電極のうち、どちらか一方の電極は第２の基板に設けられた開口部を埋めるように配置され、画素電極と背面電極とが電気的に接続されていることを特徴とする。
【００１４】
上記課題を解決するために本発明の第２の手段は、本発明の第１の手段において、背面電極は駆動信号を供給するための駆動回路と画素電極とを接続する電極であることを特徴とする。
【００１５】
上記課題を解決するために本発明の第３の手段は、本発明の第１の手段において、第２の基板は、樹脂基板であり、画素電極と背面電極は、銅箔、又は金やニッケルを樹脂基板にメッキ処理して形成されていることを特徴とする。また好ましくは、樹脂基板は、ポリイミド、又は液晶ポリマーのフレキシブル基板であることを特徴とする。
【００１６】
上記課題を解決するために本発明の他の手段は、本発明の第１の手段において、前記画像表示層として、透明分散媒中に少なくとも２種類の色の異なる帯電粒子を分散させ封入したマイクロカプセルであること特徴とする。
【００１７】
上記課題を解決するために本発明の他の手段は、本発明の第１の手段において、前記画像表示層として、着色分散媒中に少なくとも１種類の帯電粒子を分散させ封入したマイクロカプセルであること特徴とする。
【００１８】
上記課題を解決するために本発明の他の手段は、本発明の第１の手段において、前記画像表示層として、第１の基板と第２の基板の間に多数の隔壁を設け、該隔壁内に着色分散媒と、少なくとも１種類の帯電粒子を封入してあること特徴とする。
【００１９】
上記課題を解決するために本発明の他の手段は、本発明の第１の手段において、前記画像表示層として、第１の基板と第２の基板の間に多数の隔壁を設け、分散媒は用いず、少なくとも２種類の色の異なる帯電粒子を前記隔壁間に封入してあること特徴とする。
【発明の効果】
【００２０】
全画素電極に各々配線を接続するスタチック駆動用の第２の基板では、樹脂フィルムにカーボンインクで配線を印刷し、その上に画素電極の位置に開口部を設けた絶縁フィルムを貼り付け、その絶縁フィルムの上のにカーボンインクで画素電極を印刷した片面基板を用いる場合と、樹脂フィルムの表面に金属からなる画素電極と、樹脂フィルムの裏面に金属からなる背面電極を設け、画素電極と樹脂フィルムと背面電極に炭酸ガスレーザーやドリルを用いて開口部を形成し、その後、銅メッキ処理を行うことにより画素電極と背面電極を接続する、いわゆるスルーホール接続を用いた両面基板を用いる場合がある。
【００２１】
特に、高密度表示を行うためには、微細配線が可能である両面基板を第２の基板として用いることが多いが、この両面基板には、メッキ処理を行っても、貫通したスルーホールが形成されているので、このスルーホールからガスや水蒸気が画像表示層に進入し、電気泳動する微粒子の移動特性が影響を受け、表示ムラ等の欠陥が発生し、高温多湿下での信頼性試験である耐湿信頼性が不十分であった。
【００２２】
しかし、本発明では、金属からなる画素電極、あるいは金属からなる背面電極のどちらか一方の電極が、第２の基板に設けた開口部を埋めるように配置されている。例えば、第２の基板自体には開口部を形成しても、画素電極がそれらを埋めるよう配置され、そして画素電極と背面電極とが接続されると、画素電極は金属薄膜であるので、ガスや水蒸気の進入を、画素電極自身で防ぐことが可能となり、良好な耐湿信頼性が得られる。
【００２３】
さらに、ポリイミドや液晶ポリマーのような、寸法精度安定性の良好な樹脂フィルムを用い、高密度配線が可能である金属薄膜を画素電極や背面電極に用いた、いわゆるＦＰＣ基板を第２の基板として採用することが可能となるので、スタチック駆動であっても、高密度の表示が可能な電気泳動方式の表示装置を得ることが可能となる。
【発明を実施するための最良の形態】
【００２４】
以下、図面を用いて本発明を実施するための最良な電気泳動方式の表示装置の構成と作用を説明する。図１は、本発明の表示装置の構成を示す断面図であり、図２は本発明の表示装置の第２の基板を第１の基板側から見た平面図である。図５は、画像表示層に用いたマイクロカプセルの一例であり、図６は、動作原理を説明するための模式図である。
【００２５】
本発明の表示装置は、図１に示すように、透明電極２を備えた透明な材料からなる第１の基板１と、金属薄膜からなる画素電極４を備えた第２の基板５と、マイクロカプセルか
らなる画像表示層３から構成されており、第２の基板５の裏面には背面電極６設けてあり、背面電極は第２の基板における開口部（画素部ビア）１５の底を埋めるように配置され、画素電極４と背面電極６とは、第２の基板における開口部（画素部ビア）１５で接続されている。
【００２６】
さらに、背面電極を保護するために、背面電極保護層７を形成し、さらに、裏面保護フィルム８と表面保護フィルム９で、表示部全体を保護している。
【００２７】
画素電極４は、開口部（画素部ビア）１５により背面電極６と接続し、再度、ＩＣ部ビア１６により出力電極１３に接続してある。図２に示すように、画素電極４は長方形又は正方形で、それぞれ独立しており、全ての画素電極４は、出力電極１３と背面電極６（図示せず）により、接続されている。駆動用ＩＣ１１は、金属で形成した突起電極１２を用いて、出力電極１３と入力電極１４に接続してある。
【００２８】
第１の基板１は、透明で、厚さ１００μｍのポリエチレンテレフタレート（ＰＥＴ）フィルムを用い、透明電極２としては、厚さ５０ｎｍのＩＴＯを用いた。第２の基板５は、厚さ２５μｍのポリイミドフィルムを用い、厚さ９μｍの銅箔を画素電極４と背面電極６に用いた。画素電極４と背面電極６には、厚さ０．５μｍの金メッキを施してある。
【００２９】
画像表示層３は、図５に示すように、マイクロカプセル２０からなり、メタクリル酸樹脂やアラビアゴム等をカプセル殻２１とし、内部には酸化チタンからなる白の粒子２３とカーボンブラックからなる黒の粒子２４が、シリコーンオイル等の粘性の高い分散媒２２に分散されて封入されている。カプセル殻２１は直径３０〜５０μｍであり、分散している粒子径は、どちらも３〜４μｍである。
【００３０】
白の粒子２３は正電荷を帯びており、黒の粒子２４は負電荷を帯びている。そのため、図６に示すように、画素電極４と透明電極２に電圧を印加し、画素電極４が負極、透明電極２が正極になった場合、負に帯電した黒の粒子２４が透明電極側に引かれるので、透明電極側から観察すると、その部分が黒く表示される。
【００３１】
逆に、画素電極４が正極、透明電極２が負極の場合、正に帯電した白の粒子２３が透明電極側に引かれるので、その部分が白く表示される。また、画素電極４と透明電極２への印加電圧を調整することで、中間調表示も可能である。
【００３２】
そして、各粒子は粘性の高い分散媒２２に分散されており、一度、電圧を印加した後は、電圧を切断しても粒子の位置が変化せずに表示が残る、いわゆるメモリーを有しており、初期の表示や書き換え時のみ電圧を印加すればよく、大幅な省電力化をはかることが可能である。
【００３３】
また、白の粒子２３の反射率は、標準白色板に対して４０〜５０％と高く、さらに散乱特性は、視野角依存性が少ないので、紙の様に明るく見やすい、電子ペーパー表示装置を得ることができる。
【００３４】
つぎに、電極に開口部を設けずに、画素電極と背面電極を接続する、いわゆるブラインドビア接続について、図１を用いて説明する。まず、両側に厚さ１０μｍの銅箔が形成されたポリイミドフィルムを用い、背面電極側に、フォトエッチング工程を用いて、直径５０〜１００μｍの開口部を形成する。そして炭酸ガスレーザー又はＹＡＧレーザーを、背面電極側から、背面電極６の開口部に照射し、第２の基板に穴を形成する。この際、レーザーの出力を、第２の基板の材料であるポリイミドフィルムは溶かすが、画素電極である銅箔は溶かすことができないレベルに調節することで、画素電極４に穴が開かず、ポリイ
ミドフィルムだけに穴を形成することが可能となる。
【００３５】
つぎに、背面電極側だけ電解メッキあるいは無電解メッキにより厚さ５〜１５μｍの銅を形成し、画素電極４の裏面と背面電極６を接続することで、第２の基板における開口部が貫通していないブラインドビア接続が完成する。その後、画素電極側にもフォトエッチング工程を行い、画素電極４を形成し、最後に両面に、金メッキあるいは、ニッケル＋金メッキを行う。
【００３６】
その後、感光性樹脂や熱硬化性樹脂、あるいはポリイミドフィルムを用いて背面電極保護層７を形成する。なお、必要に応じて、同様に、表面のＩＣ部周辺に表面電極保護層を形成しても良い。
【００３７】
つぎに、表示装置の製造法について説明する。画素電極４と背面電極６及び背面電極保護層７を形成した第２の基板５に、画像表示層３が透明電極２上に塗布された第１の基板１を貼り合わせる。そして、透明でガスや水蒸気の透過しにくい材料を用いて、表面保護フィルム９を貼り合わせて、電気泳動方式の表示装置が完成する。なお、さらに信頼性を向上させるために、裏面保護フィルム８を背面電極保護層の外側に貼り合わせると、より好ましい。なお、裏面保護フィルム８は透明である必要はないので、樹脂フィルムの他に、アルミ箔のような金属薄膜を用いることも可能である。
【００３８】
このように形成した電気泳動方式の表示装置は、画素電極４はガスバリア性の良い金属薄膜であり、かつ、貫通したスルーホールが無いので、第２の基板５の外側から進入するガスや水蒸気の進入を抑えることが可能となり、耐湿信頼性の良好な表示装置を得ることができる。
【実施例１】
【００３９】
以下、本発明の実施例を図面を用いて説明する。図１〜図２は本発明の実施例１を示す図である。図１は本実施例における表示装置の構成要素を説明するための断面図で、 図２は本実施例の表示装置の第２の基板を第１の基板側から見た平面図である。以下、図面を用いて、実施例の表示装置の構成を説明する。
【００４０】
本実施例の表示装置は、第２の基板の開口部には、背面電極が開口部を埋めるように配置されたブラインドビア接続を用いたことと、駆動用ＩＣを画素電極と同じ側に配置したことを特徴とする。図１に示すように、透明電極２を表示領域全面に備えた透明な材料からなる第１の基板１と、金属薄膜からなる画素電極４を備えた第２の基板５と、マイクロカプセルからなる画像表示層３から構成されており、第２の基板５の裏面には背面電極６設けてあり、画素電極４と背面電極６は第２の基板における開口部１５（画素部ビア）で接続されており、さらに出力電極１３も背面電極６とＩＣ部ビア１６で接続されている。
【００４１】
第１の基板１としては、厚さ１００μｍのＰＥＴフィルムを用い、透明電極２は、厚さ０．５μｍのＩＴＯをスパッタリング法で形成した。画素電極４と背面電極６は、厚さ１０μｍの銅薄膜を用い、厚さ３μｍのニッケルメッキと厚さ０．５μｍの金メッキ処理を行った。第２の基板５は、厚さ２５μｍのポリイミドフィルムを用いた。さらに、背面電極６を保護するために、厚さ２０μｍの背面電極保護層７を熱硬化型ハンダレジストを用いてスクリーン印刷法で形成した。
【００４２】
画像表示層３は、前述したように、透明な分散媒と、正に帯電した白粒子と、負に帯電した黒粒子が封入されてマイクロカプセルからなる。
【００４３】
画像表示層３が透明電極２上に塗布されている第１の基板１を、パターンニング工程が
完了した第２の基板５に圧着し、さらに、裏面保護フィルム８と表面保護フィルム９で、表示部全体を保護している。表面保護フィルム９には、ガスバリア層をコートした厚さ１００μｍのＰＥＴをフィルムを用い、裏面保護フィルム８も、表面保護フィルムと同一材料を用い、どちらも熱硬化性の粘着層を用いて接着した。
【００４４】
なお、図７に示した従来技術と同様に、画像表示層３にガスバリア層２５と接着層２６を設け、この接着層２６を用いて画素電極４と接続することも可能である。
【００４５】
画素電極４と駆動用ＩＣ１１の出力電極１３をそれぞれ接続するスタチック駆動を用いているので、画素電極４は、図２に示したように長方形又は正方形であり、透明電極２は、パターンニングしておらず、第１の基板１の全面にある。また、第２の基板５には、画素電極４と同一面に、出力電極１３と入力電極１４を形成してあり、出力電極１３は、ＩＣ部ビア１６を用いて、背面電極６と接続してある。
【００４６】
ここで、第２の基板５は、前述した製造法を用いたブラインドビア接続により、画素電極４には穴を設けず、第２の基板の開口部を埋めるように、背面電極６を設けて第２の基板における開口部（画素部ビア）１５で接続し、同時に、出力電極１３にも穴を設けずに背面電極６とＩＣ部ビア１６で接続してある。第２の基板における画像表示層側からは、第２の基板における開口部（画素部ビア）１５およびＩＣ部ビア１６は基板の裏面側にあるため、見ることはできないが、図２ではそれらを透視した状態で、それぞれの位置を丸印で示してある。
【００４７】
最後に、突起電極１２を形成してある駆動用ＩＣ１１を、異方導電フィルム又は金属熱圧接で入力電極１４と出力電極１３とに接続して、表示装置が完成した。
【００４８】
この表示装置は、画素電極４に貫通したスルーホールが開いていなく、金属薄膜である画素電極４および背面電極６がガスバリア層としてはたらくので、５０゜Ｃ９０％の高温高湿度試験において、２０日間放置しても、良好な特性が得られた。なお、画素電極間に３０〜５０μｍの隙間があり、第２の基板５を透過した水蒸気が進入するが、この部分は非表示部であるので、影響は少ない。
【００４９】
また、このブラインドビア接続を用いた第２の基板を用いたことで、出力電極１３のピッチは１００〜１５０μｍと狭くすることが可能となり、その結果、単位面積あたりの画素数が多い、高密度表示の電気泳動方式表示装置を作成することが可能となった。
【００５０】
また、第２の基板として、厚さ２５μｍと薄く、柔軟性のあるフィルムを用いたことで、ガラス基板を用いたＴＦＴタイプと比較して、薄く、軽く、かつ、湾曲させることも可能な表示装置を実現できた。
【００５１】
このように、透明電極を備える第１の基板と、画素電極と背面電極を備える第２の基板と、電気泳動により動作する画像表示層を備え、かつ、画素電極には開口部を設けずに第２の基板に設けた穴を通して背面電極と接続するブラインドビア接続による第２の基板を用いることにより、ガスや水蒸気の画像表示層への進入を抑えて、耐湿信頼性が良好で、かつ、高密度表示が可能である、電気泳動方式の表示装置を得られた。
【００５２】
この表示装置は、第２の基板にも樹脂フィルムを用いたので、軽く、薄く、曲げることも可能であり、マイクロカプセル方式の電気泳動方式の特徴であるメモリー性により消費電力が少なく、かつ、明るく視野角特性が良好な反射表示が得られた。
【００５３】
本実施例では、画像表示層として、黒と白の２種類の粒子を含んだマイクロカプセルを
用いたが、着色分散媒中に少なくとも１種類の電気泳動粒子を分散させ封入したマイクロカプセルを用いることも可能である。また、本実施例では、白と黒の微粒子を用いたが、他の色の粒子を封入したマイクロカプセルを用いることも可能である。例えば、赤粒子と白粒子を用いることで、白表示の中に、赤い文字を表示することが可能である。
【００５４】
本実施例では、画像表示層として、黒と白の２種類の粒子を含んだマクロカプセルを用いたが、着色分散媒中に少なくとも１種類の電気泳動粒子を分散させ封入したマイクロカプセルを用いることも可能である。例えば、青色の染料を分散媒に溶解し、白色の粒子を封入したマイクロカプセルを用いることで、白背景に青文字の表示装置を得ることができた。
【００５５】
本実施例では、第２の基板として、２５ミクロンのポリイミドフィルムを用いたが、厚さは９〜５０μｍの材料が使用可能である。また、液晶ポリマーフィルムを用いることも可能である。
【００５６】
本実施例では、画像表示層としてマイクロカプセルを用いたが、第１の基板と第２の基板の間に多数の隔壁を設け、その隔壁内に着色した分散媒と、少なくとも１種類の帯電した粒子を封入しても、同様な表示装置が得られる。また、画像表示層として、第１の基板と第２の基板の間に多数の隔壁を設け、分散媒は使用せず、その隔壁内に、正負に帯電した白と黒の微粒子を封入した粉体流動を用いることも可能である。
【実施例２】
【００５７】
つぎに、本発明における実施例２の表示装置の構成について説明する。本実施例の表示装置は、背面電極には穴が無く、画素電極が第２の基板における開口部を埋めるように設けたブラインドビア接続を用いていることと、駆動用ＩＣを背面電極と同じ側に配置したことが、実施例１の構成と異なっている。
【００５８】
本実施例における表示装置の構成を、図面を用いて説明する。図３は本実施例における表示装置の構成要素を説明するための断面図で、 図４は実施例におけるの表示装置の第２の基板を第１の基板側から見た平面図である。
【００５９】
本実施例の表示装置は、図３に示すように、透明電極２を備えた透明な材料からなる第１の基板１と、金属薄膜からなる画素電極４を備えた第２の基板５と、マイクロカプセルからなる画像表示層３から構成されており、第２の基板５の裏面には背面電極６設けてあり、画素電極４と背面電極６は第２の基板における開口部（画素部ビア）１５で接続されている。出力電極１３は、背面電極側に形成してあり、背面電極６と直接、接続されている。
【００６０】
第１の基板１、透明電極２、及び画像表示層３は、実施例１と同一材料を用いた。第２の基板も、画素電極４と背面電極６の接続方式は異なるが、それ以外は、全て同一材料を用いて作成した。
【００６１】
画素電極４は、図４に示した様に長方形又は正方形とした。透明電極２は、パターンニングしておらず、第１の基板１の全面にある。また、第２の基板５には、駆動用ＩＣ１１を接続するために、出力電極１３と入力電極１４を、背面電極側に形成してある。
【００６２】
ここで、第２の基板５は、前述したブラインドビア接続の製造法と同様に製造したが、実施例１とは逆に、背面電極６には開口部を設けず、画素電極４に開口部を設けて画素部ビア１５で接続した。駆動用ＩＣ１１を、背面電極側に配置したので、実施例１で用いたＩＣ部ビアは不要となり、その分の穴開け加工が減り、製造コストを減らすことができる
。
【００６３】
なお、画素電極４に、一旦、穴を設けたが、背面電極６と接続するために、画素電極とつながるように銅メッキを行った際に、第２の基板の開口部が銅メッキ膜の画素電極で埋まり、ガスや水蒸気の進入を防ぐことが可能となる。
【００６４】
最後に、突起電極１２を形成してある駆動用ＩＣ１１を、異方導電フィルム又は金属熱圧接で入力電極１４と出力電極１３とに接続して、表示装置が完成した。但し、実施例１と異なり、駆動用ＩＣは、背面電極側に接続してある。
【００６５】
この本実施例の表示装置も、第２の基板における開口部（画素部ビア）１５が銅メッキでふさがれているので、金属薄膜である画素電極４および背面電極６がガスバリア層としてはたらき、５０゜Ｃ度９０％の高温高湿度試験において、２０日間放置しても、良好な特性が得られた。なお、画素電極４には、銅メッキ後も、直径４０〜６０μｍで深さ１０μｍ程度の小さな凹みが残っているが、粉体粒子の解像度も５０〜６０μｍ程度であるので、凹みの部分も画素電極と同じ表示色となり、表示上の問題は、全くなかった。
【００６６】
また、本実施例の第２の基板は、画素電極側に銅メッキを行い、背面電極側には銅メッキ処理を行わなくて済むので、背面電極や出力電極のピッチは、実施例１より小さく、５０〜１００μｍと狭くすることが可能となり、その結果、さらに高密度表示の電気泳動方式の表示装置を作成することができた。
【００６７】
このように、透明電極を備える第１の基板と、画素電極と背面電極を備える第２の基板と、電気泳動により動作する画像表示層を備え、かつ、背面電極には穴を設けずに第２の基板に設けた開口部を埋めた画素電極と接続するブラインドビア接続による第２の基板を用いることにより、ガスや水蒸気の進入を抑えて、耐湿信頼性が良好で、かつ、高密度表示が可能である、電気泳動方式の表示装置を得られた。
【００６８】
この表示装置は実施例１の表示装置と同様に、第２の基板にも樹脂フィルムを用いたので、軽く、薄く、湾曲させることも可能であり、マイクロカプセル方式の電気泳動方式の特徴であるメモリー性により消費電力が少なく、かつ、明るく視野角特性が良好な反射表示が得られた。
【００６９】
以上の説明から明らかなように、本発明によれば、画素電極あるいは背面電極のどちらか一方の電極によって、第２の基板に設けた開口部を埋め、画素電極と背面電極を電気的接続するブラインドビア接続を用いることで、耐湿信頼性が良好で、かつ、薄く柔軟性がある電気泳動方式の表示装置を提供できる。
【図面の簡単な説明】
【００７０】
【図１】本発明の実施例１における表示装置の構成を示す断面図である。
【図２】本発明の実施例１における第１の基板の平面図である。
【図３】本発明の実施例２における表示装置の構成を示す断面図である。
【図４】本発明の実施例２における第１の基板の平面図である。
【図５】本発明の画像表示層に用いられるマイクロカプセルの概略断面図である。
【図６】本発明の駆動原理を説明するための断面図である。
【図７】従来の電気泳動方式の表示装置の構成を示す断面図である。
【符号の説明】
【００７１】
１  第１の基板
２  透明電極
３  画像表示層
４  画素電極
５  第２の基板
６  背面電極
７  背面電極保護層
８  裏面保護フィルム
９  表面保護フィルム
１１  駆動用ＩＣ
１２  突起電極
１３  出力電極
１４  入力電極
１５  開口部（画素部ビア）
１６  ＩＣ部ビア
２０  マイクロカプセル
２１  カプセル殻
２２  分散媒
２３  白の粒子
２４  黒の粒子
２５  バリア層
２６  接着層
【図１】
2006113157.tif 000003
【図２】
2006113157.tif 000004
【図３】
2006113157.tif 000005
【図４】
2006113157.tif 000006
【図５】
2006113157.tif 000007
【図６】
2006113157.tif 000008
【図７】
2006113157.tif 000009